(57)【要約】【課題】  使用状態において冷蔵庫の冷えが悪い要因を探る。【解決手段】  診断開始指令（２ａ〜２ｄ）に基づいて冷蔵庫の庫内を冷蔵または冷凍する冷凍サイクルを構成する圧縮機の運転条件を切り換え（３、７、９）、該切り換えられた前記運転条件に対応させて設定された前記庫内の温度変化に基づいて前記冷蔵庫を診断することにより（８、１０）、冷蔵庫の冷えが悪い要因の現象を区別することにより総合的に判断する。【選択図】    図１
2005274059.tif 000002
【特許請求の範囲】
【請求項１】
診断開始指令に基づいて冷蔵庫の庫内を冷蔵または冷凍する冷凍サイクルを構成する圧縮機の運転条件を切り換え、該切り換えられた前記運転条件に対応させて設定された前記庫内の温度変化に基づいて前記冷蔵庫を診断する冷蔵庫の診断方法。
【請求項２】
前記診断は、前記圧縮機を停止して前記庫内の温度上昇率を計測し、該温度上昇率が設定値を超えているときに異常と判定する診断工程を含むことを特徴とする請求項1に記載の冷蔵庫の診断方法。
【請求項３】
前記診断は、前記圧縮機を設定回転数で運転して前記庫内の温度低下率を計測し、該温度低下率が設定値よりも小さいときに異常と判定する診断工程を含むことを特徴とする請求項1に記載の冷蔵庫の診断方法。
【請求項４】
前記診断は、前記圧縮機を設定回転数で運転して前記庫内の温度低下率を計測し、該温度低下率が第１の設定値よりも小さいときに異常と判定する第１の工程と、該第１の工程後に前記圧縮機を停止して前記庫内の温度上昇率を計測し、該温度上昇率が第3の設定値を超えているときに異常と判定する第２の工程とを有することを特徴とする請求項1に記載の冷蔵庫の診断方法。
【請求項５】
前記診断開始指令は、前記冷蔵庫の扉の開から閉までの開時間が設定時間を越えたとき、前記冷蔵庫の扉を閉じた後の庫内の温度低下率が設定低下率より小さいとき、前記冷蔵庫の単位時間当たりの扉の開閉回数が設定回数を超えたとき、前記圧縮機の稼動から停止までの時間が設定時間を越えたときの少なくとも１つであることを特徴とする請求項1に記載の冷蔵庫の診断方法。
【請求項６】
前記診断開始指令に対応させて、それぞれ異なる診断手順が設定されてなることを特徴とする請求項５に記載の冷蔵庫の診断方法。
【請求項７】
前記診断開始指令が、前記冷蔵庫の扉の開から閉までの開時間が設定時間を越えたことにより発せられたとき、
前記診断は、前記診断開始指令に基づいて前記圧縮機を停止して前記庫内の温度上昇率を計測し、該温度上昇率が第1の設定値を超えているときに異常と判定する第1の工程と、該第1の工程後に前記圧縮機を設定回転数で運転して前記庫内の温度低下率を計測し、該温度低下率が第2の設定値よりも小さいときに異常と判定する第２の工程と、該第2の工程後に前記圧縮機を停止して前記庫内の温度上昇率を計測し、該温度上昇率が第3の設定値を超えているときに異常と判定する第３の工程とを有することを特徴とする請求項1に記載の冷蔵庫の診断方法。
【請求項８】
前記第1乃至第3の工程の判定結果に基づいて、前記冷蔵庫の異常の要因を診断する第４の工程を有することを特徴とする請求項７に記載の冷蔵庫の診断方法。
【請求項９】
前記診断開始指令が、前記冷蔵庫の扉を閉じた後の庫内の温度低下率が設定低下率より小さいことにより発せられたとき、
前記診断は、前記診断開始指令に基づいて前記圧縮機を停止して前記庫内の温度上昇率を計測し、該温度上昇率が設定値を超えているときに異常と判定する工程を有してなることを特徴とする請求項１に記載の冷蔵庫の診断方法。
【請求項１０】
前記診断開始指令が、前記冷蔵庫の単位時間当たりの扉の開閉回数が設定回数を超えたことにより発せられたとき、
前記診断は、前記圧縮機を設定回転数で運転して前記庫内の温度低下率を計測し、該温度低下率が設定値よりも小さいときに異常と判定する工程を有してなることを特徴とする請求項１に記載の冷蔵庫の診断方法。
【請求項１１】
前記診断開始指令が、前記圧縮機の稼動から停止までの時間が設定時間を越えたことにより発せられたとき、
前記診断は、前記診断開始指令に基づいて前記圧縮機を停止して前記庫内の温度上昇率を計測し、該温度上昇率が第1の設定値を超えているときに異常と判定する第1の工程と、該第1の工程後に前記圧縮機を設定回転数で運転して前記庫内の温度低下率を計測し、該温度低下率が第2の設定値よりも小さいときに異常と判定する第２の工程と、該第2の工程後に前記圧縮機を停止して前記庫内の温度上昇率を計測し、該温度上昇率が第3の設定値を超えているときに異常と判定する第３の工程とを有することを特徴とする請求項1に記載の冷蔵庫の診断方法。
【請求項１２】
前記診断結果を前記冷蔵庫の外部に報知する工程を有することを特徴とする請求項１乃至１１のいずれかに記載の冷蔵庫の診断方法。
【請求項１３】
前記診断中に、前記冷蔵庫の扉が開けられた場合、該扉が再び閉められたときから当該診断をリセットして開始することを特徴とする請求項1乃至１１のいずれか１項に記載の冷蔵庫の診断方法。
【請求項１４】
一の前記診断開始指令に基づいて一の診断を実施しているときに、他の診断開始指令が発せられたとき、前記一の診断を中断し、前記他の診断開始指令に対応する他の診断を開始し、該他の診断の終了後に前記一の診断を再開することを特徴とする請求項６に記載の冷蔵庫の診断方法。
【請求項１５】
冷蔵室と冷凍室の少なくとも一方の庫内に冷気を送る冷凍サイクルと、前記冷凍サイクルを構成する圧縮機の運転を制御する演算制御装置と、前記庫内の温度を検出する温度センサと、前記冷蔵室または前記冷凍室の扉の開閉を検出する扉開閉センサとを備えてなる冷蔵庫において、
前記演算制御装置は、診断開始指令に基づいて前記圧縮機の運転条件を切り換え、該切り換えられた前記運転条件に対応させて設定された前記庫内の温度変化に基づいて前記冷蔵庫を診断する診断手段を備えてなることを特徴とする冷蔵庫。
【請求項１６】
前記圧縮機の運転条件は、圧縮機の停止と設定回転数による運転の少なくとも一方を含むことを特徴とする請求項１５に記載の冷蔵庫。
【請求項１７】
前記庫内の温度変化は、温度上昇率と温度低下率の少なくとも一方を含むことを特徴とする請求項１５に記載の冷蔵庫。
【請求項１８】
前記演算制御装置は、前記温度センサと前記扉開閉センサの検出出力を取り込み、前記冷蔵庫の扉の開から閉までの開時間が設定時間を越えたとき、前記冷蔵庫の扉を閉じた後の庫内の温度低下率が設定低下率より小さいとき、前記冷蔵庫の単位時間当たりの扉の開閉回数が設定回数を超えたとき、前記圧縮機の稼動から停止までの時間が設定時間を越えたときの少なくとも１つにより前記診断開始指令を発することを特徴とする請求項１５に記載の冷蔵庫。
【請求項１９】
前記診断手段は、前記診断開始指令に対応させて、それぞれ異なる診断手順が設定されてなることを特徴とする請求項１８に記載の冷蔵庫。
【請求項２０】
前記診断手段は、診断結果を当該冷蔵庫の表面に設けられた表示手段に表示することを特徴とする請求項１５乃至１９のいずれかに記載の冷蔵庫。
【請求項２１】
前記診断手段は、診断結果、該診断結果に係る診断手順の種類、該診断時の冷蔵庫の使用状況を含む診断データを記憶するメモリを有することを特徴とする請求項１５乃至１９のいずれかに記載の冷蔵庫。
【請求項２２】
前記演算制御装置は、外部と通信可能な通信手段に接続され、
該通信手段は、前記診断データを外部に送信する機能を備えてなることを特徴とする請求項２１に記載の冷蔵庫。
【請求項２３】
前記演算制御装置は、前記通信手段を介して外部から入力される指令に基づいて、前記診断を開始することを特徴とする請求項２２に記載の冷蔵庫。
【発明の詳細な説明】
【技術分野】
【０００１】
本発明は、冷蔵室や冷凍室を備えた冷蔵庫の診断に係り、特に冷凍室や冷蔵室の冷えが悪い現象の要因を診断する診断技術に関する。
【背景技術】
【０００２】
冷蔵室や冷凍室を備えた冷蔵庫の診断に関し、特許文献1に、冷蔵庫の運転状況を診断分析して、省エネルギなどの観点から、冷蔵庫のドアを開ける回数が多い、あるいは食品の詰め込みすぎ等、使用者に対して的確なアドバイスを行う診断方法が提案されている。例えば、同文献によれば、冷蔵室内温度が設定値より高い運転時間が設定時間以上継続したときには、「ドア連続開放中」であると診断して出力するようにしている。一方、冷蔵室内温度が設定値より高い運転時間が設定時間以上でなくても、周囲温度、周囲湿度、圧縮機の運転時間、冷凍室温度設定値、冷蔵室温度設定値等に基づいて予め求めておいたドア開基準時間と、冷蔵室内温度が設定値より高い運転時間とを比較し、前者よりも後者が大きい場合は、「ドアの開ける回数が多い」と診断して出力するようにしている。
【０００３】
さらに、同文献によれば、冷蔵室内温度が設定値より高い運転時間がドア開基準時間未満の場合は、冷凍サイクルの吐出ガス温度と基準温度とを比較し、吐出ガス温度が基準温度以上の運転時間を計測して設定時間以上であれば、「冷凍サイクルの放熱部にほこり等が付着している」と診断して出力するようにしている。
【０００４】
【特許文献１】特開平１１−１７３７４４号公報、段落番号００２０および００２３
【発明の開示】
【発明が解決しようとする課題】
【０００５】
ところで、冷蔵庫の庫内が全く冷えないという現象は、一般に、冷凍サイクルや電気系あるいは制御系の故障による場合がほとんどであるから、要因の特定が比較的容易である。
【０００６】
しかし、庫内の冷えが悪いという現象は、冷蔵庫本体の原因以外に、冷蔵庫の設置されている環境やユーザの使い方が要因として加わるから、要因の特定は容易でない。
【０００７】
この点、特許文献1に記載された技術によれば、冷凍室または冷蔵室のドア開時間に基づいて冷蔵庫の使用状況を診断することにより、庫内の冷えが悪い要因として、「ドアの開ける回数が多い」、「ドア連続開放中」などを特定している。また、圧縮機の吐出ガス温度および冷却運転の時間を考慮して冷蔵庫の状況を診断することにより、「冷凍サイクルの放熱部にほこり等が付着している」といった要因を特定している。
【０００８】
しかしながら、冷蔵庫内の冷えが悪い要因には、ドアの開ける回数が多いなどの要因の他に、例えば、庫内への「品物の詰め込み過ぎ」、「温度の高い物を入れた」、あるいは「ドアパッキン等の不良による冷気漏れ」、等々の要因が考えられるが、特許文献1はこれらの要因を特定する診断方法については配慮されていない。
【０００９】
特に、冷蔵庫の冷えが悪いとユーザが感じた時点の冷蔵庫の使用状況は、通常、再現できないから、ユーザの依頼等によりサービス員が訪問して対象の冷蔵庫を診断しても、「品物の詰め込み過ぎ」や「温度の高いものを入れた」等の要因を特定するのは困難であるから、適切な診断を行えない場合が多い。しかも、それらの要因は、対象の冷蔵庫を工場等に持ち帰っても、診断を行えない場合が多い。
【００１０】
本発明は、使用状態において冷蔵庫の冷えが悪い要因を探ることができる診断方法を提供することを第１の課題とする。
【００１１】
また、診断結果をユーザ等に報知して、使い勝手を向上し、冷蔵庫の適正使用により省エネルギの向上を図ることを第２の課題とする。
【００１２】
また、冷蔵庫の冷えが悪い要因を、修理や保守が必要な要因と切り分けることにより、修理や保守のサービス員の現地での作業効率を向上させて、サービスコストの低減を図ることを第３の課題とする。
【課題を解決するための手段】
【００１３】
本発明の冷蔵庫の診断方法は、第１の課題を解決するため、診断開始指令に基づいて冷蔵庫の庫内を冷蔵または冷凍する冷凍サイクルを構成する圧縮機の運転条件を切り換え、該切り換えられた前記運転条件に対応させて設定された前記庫内の温度変化に基づいて前記冷蔵庫を診断することを特徴とする。
【００１４】
すなわち、診断に際して能動的に圧縮機の運転条件を切り換えることを特徴とする。例えば、圧縮機を停止すると冷蔵庫の冷熱入力がなくなるから、庫内の温度は、庫内に収納された物の温度や量、庫内の物の収納状態、扉のパッキン等からの冷気漏れなどの入熱量と、冷蔵庫が保有する冷熱量とのバランスで変化（温度上昇）する。また、圧縮機を設定回転数（例えば、１００％）で運転すると、つまり冷凍サイクルから供給される冷却能力を固定すると、庫内の温度は、庫内の物の収納状態あるいは冷気漏れによる入熱量と冷却能力とのバランスに応じて変化（温度低下）する。したがって、圧縮機の運転条件を切り換えて、庫内の温度変化を監視することにより、使用状態において冷蔵庫の冷えが悪い要因を探ることができる。
【００１５】
この場合において、冷蔵庫の入熱量および冷凍能力は冷蔵庫の周囲温度の影響を受けることから、その周囲温度を検出して診断に反映させることが望ましい。
【００１６】
また、診断開始指令を周期的に発して診断を行わせることもできるが、無駄な診断を行うことを避けるため、次の４つの条件のいずれか１つが満たされたときに診断開始指令を発するようにすることができる。
（Ａ）冷蔵庫の扉の開から閉までの開時間が設定時間を越えたとき
（Ｂ）冷蔵庫の扉を閉じた後の庫内の温度低下率が設定低下率より小さいとき
（Ｃ）冷蔵庫の単位時間当たりの扉の開閉回数が設定回数を超えたとき
（Ｄ）圧縮機の稼動から停止までの時間が設定時間を越えたとき
これらの診断開始条件に対応させて、それぞれ異なる診断手順（例えば、診断モードＡ〜Ｄ）を設定することができる。
【００１７】
診断モードＡは、診断開始指令（Ａ）に基づいて圧縮機を停止して庫内の温度上昇率を計測し、その温度上昇率が第1の設定値を超えているときに異常と判定する第1の工程と、第1の工程後に圧縮機を設定回転数で運転して庫内の温度低下率を計測し、その温度低下率が第2の設定値よりも小さいときに異常と判定する第２の工程と、第2の工程後に圧縮機を停止して庫内の温度上昇率を計測し、その温度上昇率が第3の設定値を超えているときに異常と判定する第３の工程とを有して構成することができる。そして、第1乃至第3の工程の判定結果に基づいて、冷蔵庫の異常の要因を総合的に診断する第４の工程を設けることができる。
【００１８】
この診断モードＡによれば、第１の工程の診断による異常は、例えば、「庫内に温度の高い物を収納または一度に多くの物を収納」、「詰め込み過ぎ」、「冷蔵庫からの冷気漏れ」などの冷えが悪い要因が考えられる。また、第２の工程の診断による異常は、例えば、「詰め込み過ぎ」、「冷蔵庫からの冷気漏れ」などの要因が考えられる。さらに、第３の工程の診断による異常は、「冷蔵庫からの冷気漏れ」などの要因が考えられる。したがって、第３の工程まで進んで異常と判断された場合は、冷えが悪い要因を、例えば「冷蔵庫からの冷気漏れ」に特定でき、第２と第３の工程で異常と判断された場合は、例えば「詰め込み過ぎ」に特定でき、第１〜３の工程で異常と判断された場合は、例えば「庫内に温度の高い物を収納または一度に多くの物を収納」に特定できる。また、修理が必要な要因と、ユーザに使用方法をアドバイスする要因とに切り分けることができる。なお、第１〜第３の工程を切り離して、それぞれ単独に実施することもできる。
【００１９】
診断モードＢは、診断開始指令（Ｂ）に基づいて、圧縮機を停止して庫内の温度上昇率を計測し、その温度上昇率が設定値を超えているときに異常と判定する工程を有して構成できる。これによれば、「庫内に温度の高い物を収納、または一度に多くの物を収納」、「詰め込み過ぎ」、「冷蔵庫からの冷気漏れ」等の要因に特定できる。
【００２０】
診断モードＣは、診断開始指令（Ｃ）に基づいて、圧縮機を設定回転数で運転して庫内の温度低下率を計測し、その温度低下率が設定値よりも小さいときに異常と判定する工程を有して構成できる。これによれば、「詰め込み過ぎ」という要因に特定することができるから、修理が必要な要因と切り分けることができる。
【００２１】
診断モードＤは、診断開始指令（Ｄ）に基づいて、診断モードＡと同一の第１〜第３の工程の診断を有して構成することができる。したがって、診断モードＤによれば、診断モードＡと同一の診断結果を得ることができる。
【００２２】
また、本発明は、第２の課題を解決するため、上記のようにして得られた診断結果は、冷蔵庫の外部に報知するようにすることが好ましい。これにより、ユーザは診断結果を速やかに認識できるから、冷蔵庫の使用を適正化して、省エネルギの向上を図ったり、冷気の漏れなどの冷蔵庫自体の故障の場合は、速やかに修理を依頼することができるから、使い勝手が向上する。
【００２３】
なお、診断中に、冷蔵庫の扉が開けられた場合は、扉が再び閉められたときから当該診断をリセットして開始することが望ましい。また、一の診断開始指令に基づいて一の診断を実施しているときに、他の診断開始指令が発せられたとき、一の診断を中断し、他の診断開始指令に対応する他の診断を開始し、他の診断の終了後に一の診断を再開することができる。つまり、先に発生している故障ないし不具合の要因と、新たに発生した故障ないし不具合の要因との因果関係が不明なため、新しい要因から診断を行うのが好ましいからである。また、先に発生している故障ないし不具合の要因の診断中に、冷蔵庫が使用されている環境が変化している可能性があるため、新しいものから診断するのが好ましいからである。
【００２４】
本発明の冷蔵庫は、冷蔵室と冷凍室の少なくとも一方の庫内に冷気を送る冷凍サイクルと、前記冷凍サイクルを構成する圧縮機の運転を制御する演算制御装置と、前記庫内の温度を検出する温度センサと、前記冷蔵室または前記冷凍室の扉の開閉を検出する扉開閉センサとを備え、前記演算制御装置に本発明の診断方法を実施する診断手段を備えることにより、構成することができる。
【００２５】
つまり、演算制御装置は、温度センサと扉開閉センサの検出出力を取り込み、冷蔵庫の扉の開から閉までの開時間が設定時間を越えたとき、冷蔵庫の扉を閉じた後の庫内の温度低下率が設定低下率より小さいとき、冷蔵庫の単位時間当たりの扉の開閉回数が設定回数を超えたとき、圧縮機の稼動から停止までの時間が設定時間を越えたときの少なくとも１つにより、対応する診断モードＡ〜Ｄを実施する。
【００２６】
この場合、冷蔵庫の表面に表示パネルなどの表示手段を設け、その表示手段に診断結果を表示するようにすることが望ましい。また、その表示手段に診断中であることを表示することが好ましい。これにより、ユーザの使い勝手が向上する。
【００２７】
また、診断結果、該診断結果に係る診断手順の種類、該診断時の冷蔵庫の使用状況を含む診断データを記憶するメモリを設けることができる。これによれば、ユーザの依頼を受けて冷蔵庫の診断を行う際に、そのメモリの内容を参考にして有効な診断を行うことができる。
【００２８】
さらに、外部と通信可能な通信手段を設け、その通信手段により診断データを外部に送信するようにすることが好ましい。例えば、診断データを冷蔵庫のサービス会社などに送信するようにすれば、サービス員が現地に赴くことなく、修理が必要か否かを速やかに診断できるから、サービスが向上する。この場合、その通信手段を使って、サービス会社からの遠隔制御により、任意の診断モードを実施させるようにすることもできる。
【発明の効果】
【００２９】
本発明によれば、使用状態において冷蔵庫の冷えが悪い要因を探ることができる。また、他の本発明によれば、診断結果をユーザ等に報知できるから、使い勝手が向上し、冷蔵庫の適正使用により省エネルギの向上を図ることができる。さらに、他の本発明によれば、冷蔵庫の冷えが悪い要因を、修理や保守が必要な要因と切り分けることができ、修理や保守のサービス員の現地での作業効率を向上させて、サービスコストの低減を図ることができる。
【発明を実施するための最良の形態】
【００３０】
以下、本発明の実施形態を図面を参照して説明する。図１に本発明の冷蔵庫の診断方法の一実施の形態の手順を示し、図２に本発明の冷蔵庫の一実施の形態の断面構成図を示し、図３に本発明の診断方法を実施する演算制御装置の一実施形態のブロック構成図を示す。
【００３１】
図２に示すように、本発明に係る冷蔵庫は、箱体２２７とドア２０２〜２０５で囲まれた品物（食品等）を入れる庫内空間２０６〜２０９を有して形成されている。また、冷凍サイクル２２２が組み込まれており、この冷凍サイクル２２２で作り出す冷気をファン２２３で庫内に送り出すようになっている。冷凍サイクル２２２は、圧縮機２２１で冷媒を圧縮して冷凍サイクル内を循環させ、庫内空間２０６〜２０９を冷やすとともに、庫内空間２０６〜２０９の熱を外部に放熱するようになっている。ダンパ２２４は、冷気を噴出す庫内空間を選択するものであり、風路２２０と風路２２５を通って、選択した庫内空間２０６〜２０９に噴出して品物を冷却する。箱体２２７とドア２０３〜２０５との間には、パッキン２２８〜２３１が各々取り付けられ、庫内空間の冷気が外部に漏れないようにしている。また、冷蔵庫の箱体２２７とドア２０３〜２０５の内部には、断熱材が挿入され、これにより周囲への熱漏洩を最小限にしている。なお、冷蔵庫には、周囲の温度を測定する周囲温度センサ２１４、各庫内温度を測定する庫内温度センサ２１５〜２１８が取り付けられている。また、各ドアには、開閉状態を検出するドア開閉センサ２１０〜２１３が取り付けられている。温度センサーは例えばサーミスタを使用する。開閉センサは、例えば接点式のものを使用し、特に、開の状態と閉の状態を区別して検出できるものが望ましい。
【００３２】
また、冷蔵庫のドア２０２に、表示パネル２２６が取り付けられている。表示パネル２２６としては、例えば液晶パネルを用い、後述する診断結果などが表示される。冷凍サイクルを構成する圧縮機２２１、ファン２２３、ダンパ２２４などを駆動する電力は、冷蔵庫に搭載されている電気回路２１９から供給されている。
【００３３】
電気回路２１９には、図３に示す本実施形態の演算制御装置２５１が組み込まれており、演算制御手段２５２、タイマー２５３、記憶（メモリ）２５４を含んで構成されている。タイマー２５３には、例えば水晶発振子回路などが用いられる。メモリ２５４は、ＲＡＭおよびＲＯＭにより構成される。また、演算制御装置２５１には、温度検出センサ２１４〜２１８、ドア開閉センサ２１０〜２１３、冷凍サイクル２２２、表示パネル２２６などに接続され、各センサの検出データ、冷凍サイクルの状態量データを取り込むとともに、後述する診断を行って診断データを表示パネルに出力表示する診断手段が含まれている。
【００３４】
図１を参照して、本発明の診断手段の一実施形態について説明する。冷蔵庫の通常運転が行われているときに（ステップ１）、診断開始条件である診断モード移行判定条件Ａ〜Ｄが割込みにより実行される（ステップ２ａ〜２ｄ）。この診断モード移行判定条件Ａ〜Ｄは、冷蔵庫の使用状況あるいは運転状況に異常の可能性があるか否か判定する条件であり、本実施形態では、下記のように設定されている。
【００３５】
判定条件Ａ：ドア開閉センサ２１０〜２１３のいずれか１つにより検出されるドア開時間が設定時間を越えたとき
判定条件Ｂ：ドアが閉じられた後に、庫内温度センサ２１５〜２１８により検出される庫内温度の低下率が設定低下率より小さいとき
判定条件Ｃ：ドア開閉センサ２１０〜２１３により検出されるドアの開閉回数が、単位時間当たり設定回数を超えたとき
判定条件Ｄ：圧縮機の稼動から停止までの時間が設定時間を越えたとき
ステップ２ａ〜２ｄの判定条件を満たしていない「ＯＫ」の場合は、ステップ１２に移行して通常運転に復帰させる。一方、ステップ２ａ〜２ｄの判定条件を満たしている場合は、異常の可能性があることから「ＮＧ」と判断し、ステップ３に進んで診断処理を実行する。本実施形態の診断処理は、基本的に２つの診断法Ｉ、ＩＩを実行するステップ４と、その診断結果を表示パネル２２６に表示することにより、ユーザへ通知するステップ１１を含んで構成される。
【００３６】
ここで、ステップ５の診断法Ｉは、圧縮機を停止して庫内の温度上昇率を計測し、その温度上昇率が設定値を超えているときに異常と判定する診断工程である（ステップ７、８）。また、ステップ６の診断法ＩＩは、圧縮機を設定回転数で運転して庫内の温度低下率を計測し、その温度低下率が設定値よりも小さいときに異常と判定する診断工程である（ステップ９、１０）。
【００３７】
すなわち、診断に際して能動的に圧縮機の運転条件を切り換え（診断法Ｉ、ＩＩ）、その切り換えに応動する庫内の温度変化に基づいて診断し、その診断結果を組み合わせて、冷えが悪い要因を切り分ける。例えば、圧縮機を停止すると冷蔵庫の冷熱入力がなくなるから、庫内の温度は、庫内に収納された物の温度や量、庫内の物の収納状態、扉のパッキン等からの冷気漏れなどの入熱量と、冷蔵庫が保有する冷熱量とのバランスで変化（温度上昇）する。また、圧縮機を設定回転数（例えば、１００％）で運転すると、つまり冷凍サイクルから供給される冷却能力を固定すると、庫内の温度は、庫内の物の収納状態あるいは冷気漏れによる入熱量と冷却能力とのバランスに応じて変化（温度低下）する。したがって、圧縮機の運転条件を切り換えて、庫内の温度変化を監視することにより、使用状態において冷蔵庫の冷えが悪い要因を探ることができる。この場合において、冷蔵庫の入熱量および冷凍能力は冷蔵庫の周囲温度の影響を受けることから、その周囲温度を検出して診断に反映させることが望ましい。
【００３８】
本実施形態によれば、周期的に診断を実行するのではなく、診断開始の判定条件を設けて異常の可能性がある場合のみに実施するため、本実施形態のように、圧縮機の運転条件を能動的に切り換えるような特殊な運転を行っても、冷蔵庫本来の機能を損なうことはない。
【００３９】
以下、診断法Ｉ、ＩＩを組み合わせてなる診断モードＡ〜Ｄの具体的な実施例について説明する。
【実施例１】
【００４０】
図４に、診断モードＡの実施例のフローチャートを示す。本実施例は、ユーザーがドアを長く開けていた場合に割り込み実施する診断モードである。まず、冷蔵庫の通常運転中（ステップ１４）に、冷蔵庫の各ドアに取り付けているドア開閉センサの検出信号に基づいてドアが開いているドア開時間Δｔを検出する（ステップ１５〜１９）。ドア開時間Δｔが予め設定されている設定時間ｔ０よりも長い場合は、診断モードＡに移行する（ステップ２０）。一方、ドア開時間Δｔが設定時間ｔ０よりも短い場合は、異常なしと判断して通常運転を継続する（ステップ３８）。診断モードＡに移行した場合は、その旨を表示パネル２２６に表示する（ステップ２１）。この表示は、表示パネルに「診断を開始」と表示する。
【００４１】
ここで、ドアが開いている時間が長い場合、ユーザ使い方として、次のような場合が想定される。第１に庫内にある品物を取り出すのに時間がかかっている。第２に庫内から大量の品物を取り出している。第３に庫内に大量の品物を入れている。第４に庫内に品物が詰まっているため、入れにくくなっている。このような場合は、庫内の品物を冷やすのに時間がかかり、「冷えが悪い」という現象の要因となると考えられる。
【００４２】
このような場合、冷蔵庫のドアを開けている時間が長いため、ドアを閉めたあと庫内の温度が、新たに入れた品物の熱や、またドアを開けているときに庫内から逃げた冷気により、庫内温度が上昇することが考えられる。一方、庫内温度の上昇を招く要因としては、温かいもの、熱いものを庫内に入れた場合にも生じるので、この要因を切り分ける必要がある。
【００４３】
そこで、上記の要因を切り分けるために、本実施例では、まず第１の行程は診断法Ｉを実施する工程であり、圧縮機を停止し、タイマーを始動させる（ステップ２２）。次に、そのときの庫内温度を計測して基準温度Ｔ０に設定する（ステップ２３）。次に、設定時間Δta1後の庫内温度Ｔ１を計測する（ステップ２４）。次いで、庫内の温度上昇率（Ｔ１−Ｔ０）／Δｔａ１を算出し、予め設定されている設定上昇率Ｊａと比較する（ステップ２５）。ここで、Δｔａ１は目安として１０分以内程度が望ましい。また、冷蔵庫に複数の庫内空間がある場合は、診断モード移行判定条件に該当した庫内空間のみを行えばよいが、できれば全ての庫内空間を順次判定していくことが望ましい。求めた温度上昇率が設定上昇率よりも高い場合は異常と判断する。異常要因等の判定結果は、表示パネルに表示してユーザに通知するとともに、メモリに記録する（ステップ２６）。このメモリに保存された診断データは、例えばサービス員の特殊操作により、後日取り出し、表示パネル等に再表示できるようにすることが望ましい。
【００４４】
この第１の行程で判定される異常の要因としては、温度の高いもの、温かいものを庫内に入れた場合、また新たなまだ冷やされていない多くのものをいれた場合、周囲からの熱侵入ある場合が想定される。
【００４５】
次に、第２の行程は診断法ＩＩを実施する工程であり、圧縮機を規定回転数で稼動させる（ステップ２６）。圧縮機を稼動させた場合、冷凍サイクルで冷気が発生する。この冷気をファン２２３とダンパ２２４を用い、各庫内空間には風路２２０と風路２２５を通って送風する（ステップ２８）。このとき、送風する庫内空間は、診断モード移行判定に該当した庫内空間のみを行えばよいが、全ての庫内空間を順次判定していく場合は、各庫内空間に冷風を送風する必要がある。庫内温度Ｔ１を計測後、設定時間Δｔａ２の経過後、庫内空間温度Ｔ２を計測する（ステップ２９）。次いで、庫内の温度低下率（Ｔ２−Ｔ１）／Δｔａ２を算出し、予め設定されている設定低下率Ｊｂと比較する（ステップ３０）。ここで、設定時間Δｔａ２は目安として１０分以内程度が望ましい。求めた温度低下率が設定低下率よりも高い場合は、異常の要因ありと判断する。異常要因等の判定結果は、表示パネルに表示してユーザに通知するとともに、メモリに記録する（ステップ３１）。
【００４６】
この第２の工程で判定される異常要因としては、庫内空間の冷えが悪いため、品物の詰め込み過ぎや、冷蔵庫周囲への熱漏洩がある場合が想定される。
【００４７】
次に、診断法Ｉを実施する第３の行程に進み、ここでは、圧縮機を再度停止して（ステップ３２）、設定時間Δｔａ３の経過後に庫内温度Ｔ３を計測する（ステップ３３）。そして、庫内の温度上昇率（Ｔ３−Ｔ２）／Δｔａ３を算出し、予め設定されている設定上昇率Ｊｃと比較する（ステップ３３）。ここで、設定時間Δｔａ３は目安として１０分以内程度が望ましい。また、第１、第２の工程と同様、診断モード移行判定に該当した庫内空間のみ、あるいは全ての庫内空間を順次判定していく。求めた温度上昇率が設定上昇率よりも高い場合は、異常の要因ありと判断する。異常要因等の判定結果は、表示パネルに表示してユーザに通知するとともに、メモリに記録する（ステップ３５）。
【００４８】
この第３の工程で判定される異常要因としては、冷蔵庫周囲への熱漏洩がある場合、即ちドアのパッキンが痛んでいるなどの場合が想定される。なお、ドアが開いている場合、きちんと閉じられていない場合は、ドアの開閉センサで別途チェックできる。
【００４９】
以上の３つの行程を経て、最終結果を判定し、その総合結果をユーザーに通知すると共に、メモリに記録する（ステップ３６）。結果は表示パネルに表示し、例えば、「品物を詰め込み過ぎです。」、「熱いもの、温かいものを入れています。」、「冷気が漏れている可能性があります。修理を依頼してください。」などの表示を行う。その後、通常運転に復帰する（ステップ３７）。この時、例えば表示パネルに「故障診断は終了しました。通常運転に復帰します。」と表示する。
【００５０】
ここで、診断モードＡによれば、異常要因を切り分けられる理由について説明する。まず、第１の工程の診断による異常は、例えば、「庫内に温度の高い物を収納または一度に多くの物を収納」、「詰め込み過ぎ」、「冷蔵庫からの冷気漏れ」などの冷えが悪い要因が考えられる。また、第２の工程の診断による異常は、例えば、「詰め込み過ぎ」、「冷蔵庫からの冷気漏れ」などの要因が考えられる。さらに、第３の工程の診断による異常は、「冷蔵庫からの冷気漏れ」などの要因が考えられる。したがって、第３の工程まで進んで異常と判断された場合は、冷えが悪い要因を、例えば「冷蔵庫からの冷気漏れ」に特定でき、第２と第３の工程で異常と判断された場合は、例えば「詰め込み過ぎ」に特定でき、第１〜３の工程で異常と判断された場合は、例えば「庫内に温度の高い物を収納または一度に多くの物を収納」に特定できる。また、修理が必要な要因と、ユーザに使用方法をアドバイスする要因とに切り分けることができる。
【実施例２】
【００５１】
図５に、診断モードＢの実施例のフローチャートを示す。本実施例は、ドア開時間が設定時間未満であることから診断モードＡに移行しない場合でも、冷えが悪い場合があることに鑑みて設けられる診断モードである。すなわち、通常運転（ステップ１４）中にドアが開けられた後閉じられたときに図５の処理を開始する（ステップ１６）。ステップ１４〜２０の行程は、図４のステップ１４〜２０と同一である。本実施例は、ステップ２０の判断で、ドアの開時間Δｔが設定値ｔ０よりも短かった場合に実施される診断モードである。
【００５２】
まず、ステップ４０において、ドアが閉められた状態の庫内温度を計測し、その温度を庫内基準温度Ｔ０に設定する。そして、圧縮機を設定回転数で運転して庫内を冷却させる（ステップ４１、ステップ４２）。そして、設定時間Δｔ４経過後に、庫内温度Ｔ４を計測する（ステップ４３）。この庫内温度Ｔ４から庫内基準温度Ｔ０を引いて、冷却による庫内温度の低下率ΔＴを求め、設定低下率ΔＴｂと比較し（ステップ４４）、設定低下率ΔＴｂ以下のときは正常であると判断して、通常運転を継続する（ステップ４５）。一方、低下率ΔＴが設定低下率ΔＴｂより大きい場合は、異常と判断して診断モードＢに移行し、表示パネルにその旨を表示する（ステップ４６）。
【００５３】
診断モードＢは、既にステップ４４の判定で、冷えが悪いと判定されているので、圧縮機を停止し（ステップ４７）、庫内の温度上昇率によって異常の有無を判定する（ステップ４８〜ステップ５０）。このステップ４７〜ステップ５０の工程は、図４のステップ２２〜２５と同様であるから、説明を省略する。次いで、判定結果と診断モードの終了を表示パネルに表示し、通常運転に復帰する（ステップ５１〜５３）。
【００５４】
この診断モードＢの判定結果は、例えば、「品物を詰め込み過ぎです。または熱いもの、温かいものを入れています。」、「冷気が漏れている可能性があります。修理を依頼してください。」などになる。
【実施例３】
【００５５】
図６に、診断モードＣの実施例のフローチャートを示す。本実施例は、冷蔵庫の単位時間当たりのドアの開閉回数が設定回数を超えたときに実施される診断モードである。すなわち、通常運転中にドアの開閉を検知し、ステップ１４からステップ５８において、ドアの開時間と、単位時間当たりのドアの開閉回数およびドアを閉めてから再び開けるまでの時間をカウントしている。ステップ５４においてタイマーを初期化し、単位時間あたりのドア開閉回数を判定し（ステップ６２）、予め与えられている回数Ｎ０よりも大きければ異常とし、診断モードＣに移行するとともに、表示パネルにその旨を表示する（ステップ６３）。ステップ５８で単位時間に満たない場合は、図４の診断モードＡ、図５の診断モードＢの診断を実行する。
【００５６】
診断モードＣでは、単位時間当たりのドアの開閉回数が多い、すなわち、１回当たりのドアの開閉時間は短いので、比較的庫内空間の手前側に品物が置かれていると想定される。したがって、庫内空間の手前側が詰め込みすぎになっていると思われるので、圧縮機を設定回転数で稼動して庫内空間を冷却し（ステップ６４、ステップ６５）、庫内温度の低下率を判定する（ステップ６６、ステップ６７）。なお、ステップ６４〜６７の診断処理は、診断モードＡのステップ２７〜３０と同様である。
【００５７】
ステップ６７の診断の結果、庫内温度の低下率が小さい場合は、異常と判断して表示パネルにその旨を表示するとともに、メモリに診断データを記憶する（ステップ６８）。その後、通常運転に復帰し、診断モードの終了を表示する（ステップ６９）。この診断モードＣによって、例えば、「品物を詰め込み過ぎです。」などの異常要因を特定できる。
【実施例４】
【００５８】
図７に、診断モードＤの診断手順のフローチャートを示す。診断モードＤは、圧縮機の稼動から停止までの時間が設定時間を越えたとき、つまり圧縮機の運転時間が長い場合に割込みをかけて実行する診断モードである。一般に、圧縮機はインバータによる回転数制御が行われ、これにより冷凍サイクルの冷却能力が制御されているが、庫内温度が設定温度以下に低下すると運転が停止される。すなわち、冷蔵庫は、通常運転では、例えば図8に示すように、庫内温度が目標の設定温度（図示例では、温度Ｔ３）以下になると圧縮機が停止し、庫内温度が設定温度よりも高い場合は圧縮機が運転される。
【００５９】
図７において、ユーザーがドアを閉め（ステップ７０）、庫内温度が設定温度よりも高い場合は、圧縮機が稼動する（ステップ７２）。このとき、タイマをリセットし（ステップ７３）、次に圧縮機が停止するまでの時間ｔｃ２を計測する（ステップ７５、７６）。この計測により、圧縮機の稼働時間Δｔｃ＝（ｔｃ２−ｔｃ１）が予め設定されている時間Δｔｃ０よりも短いときは通常運転を継続し、長いときは異常とみなして（ステップ７７）、診断モードＤに移行する。ここで、圧縮機の運転時間Δｔｃ０は、目安として２０〜３０分程度が望ましい。
【００６０】
この診断モードＤでは、ドアが開いている時間が長い場合と同様に、ユーザ使い方として、次のような場合が想定される。第１に庫内にある品物を取り出すのに時間がかかっている。第２に庫内から大量の品物を取り出している。第３に庫内に大量の品物を入れている。第４に庫内に品物が詰まっているため、入れにくくなっている。このような場合は、庫内の品物を冷やすのに時間がかかり、ユーザーからの「冷えが悪い」といった苦情発生の要因となると考えられる。そのため、図４の診断モードＡと同じ第１〜第３の診断工程を実施して異常の要因を特定する。
【００６１】
すなわち、庫内温度の上昇率による診断の第１の行程（ステップ８０〜ステップ８４）、庫内温度の下降率による診断の第２の行程（ステップ８５〜ステップ８９）、庫内温度の上昇率による診断の第３の行程（ステップ９０〜ステップ９３）を実施し、最後に総合判定を行って、その診断結果を表示パネルに表示するとともに、メモリに記憶させる（ステップ９４）。その後、通常運転に復帰して診断モード終了の表示を行う（ステップ９５）。
【００６２】
図８に、圧縮機回転数と庫内温度の時間変化の一例を示す。図において、例えば、停止していた圧縮機が回転数Ｎ１で運転を始める（時刻ｔｉｍｅ１）と庫内温度が低下し始める。その後、時刻tｉｍｅ２で圧縮機回転数Ｎ２に変化し、時刻ｔｉｍｅ３で停止したとする。この場合、本実施の形態の診断モード移行条件の判定に使用する圧縮機の運転時間Δｔｃは、最初の圧縮機の運転時間である時刻ｔｉｍｅ１から時刻ｔｉｍｅ２までの時間を用いる。これにより、例えば、時刻ｔｉｍｅ２から時刻ｔｉｍｅ３までの行程がない運転状態の場合でも対応が可能となる。なお、この場合、庫内温度、圧縮機回転数の取得データは、最初の基準時ｔ＝０のデータと、時刻ｔのデータ及び時刻ｔ＋Δｔのデータの３種が必要となる。圧縮機回転数が、時刻ｔと時刻ｔ＋Δｔで変化したとき、時刻ｔ＝０と時刻ｔのデータを使用すればよい。
【実施例５】
【００６３】
図９に、診断モードの実施中に、ユーザーがドアを開けた場合の処理の一例を示している。図示の例は、診断モードＡの実施中に（ステップ９６、ステップ９７）、ユーザーがドアを開けた場合（ステップ９８）、実施中の診断モードＡを途中で中止し（ステップ９９）、ユーザーがドアを閉めると同時に（ステップ１００）、再度、最初から診断モードＡを実施するようにしている（ステップ１０１、ステップ１０２）。そして、診断モードＡの終了後に、通常運転に復帰する（ステップ１０３）。
【実施例６】
【００６４】
図１０に、ある診断モード実施中に、さらに他の診断モードの開始判定がなされた場合の処理の例を示す。図示例では、診断モードＡを実施中に（ステップ１０４、ステップ１０７）、診断モードＢの開始判定がされた場合（ステップ１０８）、実施していた診断モードＡを中止する(ステップ１０９)。そして、診断モードＢを実施した後（ステップ１０９、ステップ１１０）、診断モードＡを再度、最初から実施する（ステップ１１１〜ステップ１１６）。
【００６５】
この場合、診断モードＢと診断モードＡとで、同じ診断ステップがある場合には、重複ステップ乃至工程を後から実施する診断モードで省略することが望ましい。これにより、診断にかかる時間を短縮し、本来の冷蔵庫の機能である庫内の品物の鮮度を維持することができる。但し、診断精度を高める点では、異なる条件で実施するのが望ましいので、重複して実施することができる。
【実施例７】
【００６６】
図１０と図１１に、本発明の冷蔵庫の他の実施形態の構成図を示す。図示のように、本実施形態の冷蔵庫３１０は、例えばサービス会社と通信ネットワークを介して通信可能にネットワークシステムが構成されている。ネットワークシステムの構成は、少なくともシステム制御装置３０２と記憶装置３０３を有するセンターサーバー３０１と、インターネット３０４を介して接続される家電機器制御端末３０６が備えられる。家電機器制御端末３０６は、利用者の操作インターフェースと家電機器制御器の機能を有し、一体化したもの、または分離した物で構成される。本実施例では、利用者の操作インターフェースとしてパソコン３０７、家電機器制御器として通信アダプタ３０８をもうける例を示している。家電機器制御端末３０６がインターネット３０４と接続するためにルータ／モデム３０５が必要となる。通信アダプタ３０８は、冷蔵庫に取り付けられている通信モジュール３０９と無線でつながっており、相互に電文授受が可能である。無線の方式としては、例えば特定省電力無線がある。通信アダプタ３０８へはパソコン３０７およびセンターサーバー３０１から冷蔵庫３１０の設定情報が送信され、通信アダプタ３０８からは冷蔵庫３１０からの情報がパソコン３０７、センターサーバー３０１に送信される。通信モジュール３０９は、冷蔵庫３１０に設けられた演算制御装置と通信ケーブル３１２を介して接続され相互に通信が可能になっている。なお、図示していないが、通信モジュールへの電力供給は、冷蔵庫３１０の電気回路から行っている。
【００６７】
例えば、ネットワーク対応の冷蔵庫３１０が本発明の診断モードに移行すると、その診断結果は、冷蔵庫３１０から通信モジュール３０９を介して通信アダプタ３０８に情報が送られる。通信アダプタ３０８は、パソコン３０７に情報を送信するとともに、センターサーバー３０１に送る。センターサーバー３０１では、送られてきた診断結果などの診断データに基づき、パソコン３０７にその診断メールを送信する。利用者は、冷蔵庫３１０の表示パネル２５８の表示とともに、パソコン３０７で異常の要因を知ることが可能となる。なお、診断メールには、要因の解決策も同時に示されているのが好ましい。
【００６８】
図１１は、本実施例の演算制御装置２５１回りの構成図を示している。図示のように、図３に示した演算制御装置２５１に加えて、通信用演算記憶制御回路２５９が設けられ、それらは通信ケーブルを介して情報通信を行うようになっている。通信用演算記憶制御回路２５９は、図１０の通信モジュール３０９内に設けられ、演算制御回路２６０と通信回路２６１を備えて構成され、通信回路２６１はアンテナ２６２に接続されている。
【００６９】
このように構成される通信用演算記憶制御回路２５９は、冷蔵庫側の演算制御装置２５１から情報を通信用に変換して、通信回路２６１を介して送信し、また通信回路２６１で受信した情報を冷蔵庫用に変換して演算制御装置２５１に送信するようになっている。
【００７０】
本実施例の冷蔵庫３１０の場合、冷蔵庫本体の演算制御装置２５１の他に、通信モジュール内に通信用演算記憶制御回路２５９が設けられている。上記各実施例に示した診断手段は、スタンドアロンの冷蔵庫を対象として説明したので、冷蔵庫本体の演算制御装置２５１で行っている。しかし、本実施例の冷蔵庫３１０の場合、必ずしも冷蔵庫本体の演算制御装置２５１で診断を実行する必要はない。例えば、通信モジュール内の通信用演算記憶制御回路２５９内で診断を実行し、その診断結果のデータを冷蔵庫本体の演算制御装置２５１に送るようにしてもよい。この場合は、必要なソフトを通信モジュールに持たせる必要がある。この利点は、本実施例の冷蔵庫３１０は、庫内温度、ドア開閉、圧縮機運転に関して、情報を取り出せるようにしておけばよく、診断ソフトのアップデートや、診断ソフトを搭載していない通信モジュールの場合、冷蔵庫のソフトを変更することなく、通信モジュールのソフト変更で対応が可能とできる。
【００７１】
一方、システム管理をしているセンター（サービス会社など）では、利用者のネットワーク対応の冷蔵庫３１０での異常の有無を把握することができ、必要に応じ保守サービス者の派遣等、迅速なサービスが可能となる。また、ネットワーク接続の場合は、家電機器制御端末やセンターサーバーがカレンダーを持っているため、故障診断判定結果を日付の入ったデータとして保存しておくことが可能であり、これのデータを分析することで、異常や故障の不具合箇所の調査ができる。
【００７２】
また、本発明に係る診断方法は、時系列のデータを収集しないため、通信モジュール３０９と通信アダプタ３０８間で多量のデータのやり取りをする必要もなく、エアコン以外の家電機器がつながっている場合でも、それらの家電機器の制御に影響を及ぼすことがない。また、センターサーバーも大量のデータを収集するための記憶装置の準備も必要なく、本発明に係る診断方法を使用してもシステムへの負荷は小さい。
【００７３】
以上説明したように、本発明の各実施例によれば、圧縮機の運転条件を予め設定した運転条件に固定し、庫内温度の上昇率と下降率を計測することにより、「冷えが悪い」現象の要因の切り分けを行うことができる。
【００７４】
また、診断モードの開始判定は、例えばドアの開時間の長さ、庫内温度の低下温度、単位時間内のドアの開閉回数、圧縮機の運転時間の長さなど複数の判定条件を用意しているので、異常の可能性がある場合のみ、診断モードを実施することが可能である。これにより、冷蔵庫本来の機能を損なうことなく、診断を実施することができる。
【００７５】
また、各実施例の診断方法を用いることで、ユーザーの使用環境に大きく影響を受ける「冷えが悪い」といった現象について、従来の故障診断では検出できず、また冷蔵庫の持ち帰りや後日調査で再現ができなかった現象が、ユーザーの使用環境下でリアルタイムで検出できるようになる。
【００７６】
また、異常要因の診断結果を表示パネルなどに表示させるため、ユーザーがその時に要因を認識でき、ユーザーの使用方法による場合は、ユーザー自身で改善をすることも可能となる。例えば、熱いものは取り出し冷ましてから再度庫内に入れるとか、庫内の品物を整理し詰め込み過ぎを回避するなどの改善の指針をその都度提供することができる。
【００７７】
また、判定結果は、メモリに記憶させるため、後日、サービス員がデータを取り出すことが可能である。これらの結果、ユーザーにとって冷蔵庫が一層使いやすいものとなり、また適正に使用されるため省エネルギも向上する。また、サービス員も異常要因の特定に時間をかけずに済み、保守サービス性が向上しコスト低減にもなり、ユーザー、サービス双方にメリットを得ることができる。
【図面の簡単な説明】
【００７８】
【図１】本発明の冷蔵庫の診断方法の一実施の形態の処理手順を示すフローチャートである。
【図２】本発明の診断方法が適用された一実施の形態の冷蔵庫の断面構成図である。
【図３】本発明の診断方法を実施する演算制御装置の一実施の形態のブロック構成図である。
【図４】本発明の診断方法の一実施例の診断モードＡの処理手順を示すフローチャートである。
【図５】本発明の診断方法の一実施例の診断モードＢの処理手順を示すフローチャートである。
【図６】本発明の診断方法の一実施例の診断モードＣの処理手順を示すフローチャートである。
【図７】本発明の診断方法の一実施例の診断モードＤの処理手順を示すフローチャートである。
【図８】診断モードＤの圧縮機の運転時間と庫内温度との関係を説明する図である。
【図９】本発明に係る診断の実施中に冷蔵庫のドアが開かれたときの処理の一実施例を示すフローチャートである。
【図１０】本発明に係る一の診断モード実施中に、他の診断モードの割り込みがあったときの処理の一実施例を示すフローチャートである。
【図１１】本発明の他の実施例のネットワークシステム対応型の冷蔵庫のシステム構成図である。
【図１２】図１１実施例の演算制御装置と通信用演算記憶制御回路の一実施例を示すブロック図である。
【符号の説明】
【００７９】
１  通常運転ステップ
２ａ〜２ｄ  診断モード移行判定ステップ
３  診断処理ステップ
４  診断実施ステップ
５  診断法Ｉステップ
６  診断法ＩＩステップ
７  圧縮機能動制御（圧縮機停止）ステップ
８  庫内温度上昇率判定ステップ
９  圧縮機能動制御（圧縮機回転数固定）ステップ
１０  庫内温度低下率判定ステップ
１１  診断結果の通知ステップ
１２  通常運転への復帰ステップ
【図１】
2005274059.tif 000003
【図２】
2005274059.tif 000004
【図３】
2005274059.tif 000005
【図４】
2005274059.tif 000006
【図５】
2005274059.tif 000007
【図６】
2005274059.tif 000008
【図７】
2005274059.tif 000009
【図８】
2005274059.tif 000010
【図９】
2005274059.tif 000011
【図１０】
2005274059.tif 000012
【図１１】
2005274059.tif 000013
【図１２】
2005274059.tif 000014